(57)【特許請求の範囲】
【請求項１】
銀イオン系抗菌剤を含有させたパイル地からなるシートと、竹繊維によってシート状に織られたシートとを積層形成した、抗菌・防カビ・抗ウィルス・消臭・保湿・保温性のある多層繊維フィルターシート。
【請求項２】
口および鼻を覆うように装着されるマスク本体の内側にパイル地からなるシートを外側、竹繊維によってシート状に織られたシートを内側の順番で装着可能となるように、マスク本体より縦巾と横巾を狭く形成したことを特徴とする請求項１記載の多層繊維フィルターシート。
【請求項３】
家庭用エアコンのフィルター部の内側にパイル地からなるシートを外側、竹繊維によってシート状に織られたシートを内側の順番で装着可能となるように、フィルターの取付口部形状と略同一に形成したことを特徴とする請求項１記載の多層繊維フィルターシート。
【請求項４】
折り畳んでフィルターとして使用する際に多層となるように、  銀イオン系抗菌剤を含有させたパイル地からなる細長シートと、竹繊維によってシート状に織られた細長シートを横並びに接合して各辺２０センチメートル以上の正方形に形成したことを特徴とする抗菌・防カビ・抗ウィルス・消臭・保湿・保温性のある多層繊維フィルターシート。
【発明の詳細な説明】
【技術分野】
【０００１】
本発明は、空気中の埃、粉塵、花粉、ウィルス、細菌、有害ガスを口や鼻から体内に侵入するのを防ぐためのフィルターシートに関し、特にマスク内に介在させたり、機械装置のフィルターに装着する構造からなる、抗菌、防カビ、抗ウィルス、消臭、保湿、保温性の効能のある多層繊維フィルターシートに関する。
【背景技術】
【０００２】
従来より、空気中の有害汚染物質や埃、細菌、ウィルス等を口や鼻から吸い込まないようにしたり、気管支への進入を防ぐようにするためのマスクやフィルターが開発されている。防塵効果や抗菌作用のあるマスクの需要は増え、風邪予防や花粉症対策のために様々な付加的効果のある特殊加工の施されたシートや不織布が挿入されたマスクが販売されている。またマスク本体の内側に装着する殺菌シートや、マスク本体に直接噴霧するスプレーも開発され、通気性がよく花粉対策や抗ウィルス性に優れたマスクおよび付属シートが開示されている。【０００３】
また、現在では外出時だけではなく、室内における空気清浄機等の販売台数も増え、家庭用エアコンから排出される粉塵や微粒子さらには花粉や煙害（ＰＭ２．５）を除去する機能がついた技術も開発されている。汚染物質の進入や新型インフルエンザ対策として家庭用エアコンの吸い込み口からの空気中の埃、細菌、ウィルス等の進入を防止する為に既に設置してあるエアコンに後付けで装着できる形態のものであり、吸い込み口に容易に装着できるフィルターも開発されている。【０００４】
また、近年、黄砂のような砂塵の人体への影響や、ＰＭ２．５の測定結果が都道県別に発表されるなど、呼吸器疾患や呼吸器感染症、心臓や脳の循環器疾患の増加が報告されている。また現在の安価なマスクのでは容易に通過してしまう直径２．５マイクロメートル以下の微小粒子状物質ＰＭ２．５の発生に伴い喘息、アレルギー性鼻炎などのアレルギー疾患のほか、結膜炎などの眼科症状も増加しており、黄砂や花粉との関係も報告されている。その為、超微粒子にも対応できる安価なマスクまたはシート（フィルター）の開発が望まれているが、微粒子を通さない不織布や多層シートは目が細かく通気性が悪いため、容易に呼吸ができないという問題があり、マスクを常時装着していると息苦しくなるという欠点があった。【０００５】
花粉症の症状が発症する人数も増えているが、飲み薬や注射等で症状を良くすることは対症療法としては可能であるが完治するというような薬は開発されておらず、体内に花粉の雑菌付の物質を侵入させないようにする方法しか考えられていない。また、スギ花粉とＰＭ２．５が結びつくことによってさらに微小なＰＭ１．０に変化するとも報じられており、ますます微粒子状の物質に対応できるフィルターシートが必要となり、その早期の開発が望まれている。更にマスク本体の内側に装着して使用した際に、装着者が快適に呼吸することができ、マスク装着中のくしゃみや咳により細菌やウィルスが増殖することを防ぐシートの開発も望まれている。また、マスクの使用を生活習慣としない地域の人が使用する場合を考慮して、マスクに替えてハンカチ型でも使用できる態様が必要となる。
【先行技術文献】
【特許文献】
【０００６】
【特許文献１】特開２００５−３３４１３７
【特許文献２】特開２００６−２９１０３１
【特許文献３】特開２００５−２２４５５７
【特許文献４】実用新案登録第３１３７２９６号
【発明の開示】
【発明が解決しようとする課題】
【０００７】
本発明は、上記問題を解決するために、空気中の埃、粉塵、花粉、ウィルス、細菌、有害ガスを除去し、口や鼻から呼気吸気とともに体内に侵入するのを防ぐためのシートであって、特に抗菌、防カビ、抗ウィルス、消臭、保湿、保温性のある通気性の確保できる多層繊維シートを提供することを目的とする。
【課題を解決するための手段】
【０００８】
上記の目的を達成するために本発明に係る多層繊維シートは銀イオン系抗菌剤を含有させたパイル地からなるシートと、竹繊維によってシート状に織られたシートとを積層形成した構成である。
【００１０】
また、口および鼻を覆うように装着されるマスク本体の内側に、パイル地からなるシートを外側（マスク側）と竹繊維によってシート状に織られたシートを内側（口側）の順番で装着可能となるように、マスク本体より縦巾と横巾を狭く形成した構成である。【００１１】
更に、家庭用エアコンのフィルター部の内側に、パイル地からなるシートを外側、竹繊維によってシート状に織られたシートを内側の順番で装着可能となるように、フィルターの取付口部形状と略同一に形成した構成である。【００１２】
また、折り畳んでフィルターとして使用する際に多層となるように、銀イオン系抗菌剤を含有させたパイル地からなる細長シートと竹繊維によってシート状に織られた細長シートを横並びに接合して各辺２０センチメートル以上の正方形に形成した構成である。
【発明の効果】
【００１３】
本発明は、上記詳述した通りの構成であるので、以下のような効果がある。
１．銀イオン系抗菌剤を含有させたパイル地からなるシートと、竹繊維によってシート状に織られたシートとを積層形成したシートからなるため、抗菌・殺菌作用が働き二次感染予防に効果があり、更に竹本来の抗菌・防カビ・消臭・抗ウィルス等の理化学的特性を生かしたうえ、竹繊維をシート状にして二重構造にして使用することによって更に大腸菌・黄色ブドウ球菌等の細菌類にも対応できる抗菌力をもつことができ、かつ、パイル地であるために通気性に優れており、息苦しくなることがないという利点がある。
【００１４】
２．口および鼻を覆うマスクに上記積層形成した多層繊維フィルターシートを装着して使用することにより、空気中に含まれる埃、粉塵、花粉、ウィルス、細菌、有害ガスをまず、銀イオン系抗菌剤を含有させたパイル地からなるシートで除去し、竹繊維によってシート状に織られたシートにより更に除去することができる。これにより、マスクと多層繊維フィルターシートを通過した空気から細菌・ウィルス等をより確実に除去することができる。
３．上記多層繊維フィルターシートを家庭用エアコンのフィルター部に装着することにより、空気中に含まれる埃、粉塵、花粉、ウィルス、細菌、有害ガスの室内への侵入を防ぐことができる。
【００１５】
４．折り畳んでフィルターとして使用する際に多層となるように、銀イオン系抗菌剤を含有させたパイル地からなる細長シートと竹繊維によってシート状に織られた細長シートを横並びに接合することにより、大きさを自由に設定することができるので、マスクの使用を嫌う人であってもマスク代わりに使用することができるので用途が広くなる。例えば、上記と同様にマスク等の内側に装着することも可能であるが、抗菌・防カビ・消臭・抗ウィルスの効果もある素材で形成されており、通気性もいいことからハンカチやタオルとしても使用が可能である。インフルエンザの感染予防には手洗い・うがいが有効的な対策であるが、家族内での共有や湿ったままのタオル等は、短時間に雑菌が繁殖し、悪臭もするため、そのまま放置しておくと手洗い後の手や指に細菌が付着する虞があるが、多層繊維シートは抗菌・消臭・抗ウィルスの素材で形成されているため細菌・ウィルス等の繁殖を防ぐことができる。
【発明を実施するための最良の形態】
【００１６】
以下、本発明に係る多層繊維フィルターシートを図面に示す実施例に基づいて詳細に説明する。図１は、本発明の多層繊維フィルターシートの斜視図である。図２は、多層繊維フィルターシートをマスクに装着する際の斜視図である。図３は、折り畳んでフィルターとして使用する際の多層繊維シートの斜視図である。
本発明の多層繊維フィルターシート１０は、図１に示すように、銀イオン系抗菌剤を含有させたパイル地からなるシート２０と、竹繊維によってシート状に織られたシート３０とからなる。
【００１７】
多層繊維フィルターシート１０は、多重に積層形成された２枚のシートからなり、図１に示すように、銀イオン系抗菌剤を含有させたパイル地からなるシート２０と、竹繊維によってシート状に織られたシート３０とからなる。
【００１８】
フィルターシート２０は、パイル地（タオル地）に織られた布材に、銀イオン系抗菌剤２２を含有させた構成からなる。また、銀イオン系抗菌剤の含有量は、この実施例では重量％で、１５％以上としているが、この数値に限定されるものではない。
また、別の実施例では、竹繊維によってシート状に織られたシートと横並びに接合する際には細長に形成し、長手方向を接合することにより２０センチメートル以上の正方形を形成される。
パイル地は、布面をループ状にした織物で、織地面からループを形成する別の経糸が立ち上げられてループ２４を形成してから元の織地面に戻って輪奈（ループ）が形成される。無数のループの集合体により、織地面より高い位値にループの先端が形成するループ頂面が形成され、ループ頂面と織地面との間に空気を蓄える空間が形成される。これにより空気との接触面が拡大され多くの空気中に含まれる埃、粉塵、花粉、ウィルス、細菌、有害ガスを除去することが可能となり、また、中間に保存された空気が存在するために呼気吸気の流通が良くなり息切れのような現象を回避することができる。
【００１９】
フィルターシート３０は、竹繊維を糸としてシート状に織られた織物である。節部を取り除いた生の竹から作られる竹繊維が原料として使用されている。竹繊維は、抗菌性に優れており、その他に、消臭効果や防錆効果、害虫忌避効果、抗ウィルス効果、吸湿効果もみとめられており、さらに耐摩耗性、断熱性、抗酸化性、の点でも優れている。内側シートのサイズは上記した銀イオン系抗菌剤を含有させたパイル地からなる外側シート２０を略同一の大きさに形成されている。
また、パイル地（タオル地）に織られた布材と横並びに接合する際には細長に形成して、長手方向を接合することにより２０センチメートル以上の正方形を形成される。
【００２０】
マスク本体内に多層繊維フィルターシート用のポケットや係合部を設けることも本発明にかかる多層繊維フィルターシートは、マスク本体と口または鼻との間に挟持させて、マスク本体のゴムによってマスク本体内に装着された状態で使用する。さらに、多層繊維フィルターシートにベルクロ（マジックテープ：登録商標）のような係合部を設けることも可能である。
マスク本体の内側に使用する他に、家庭用エアコンのフィルター部の内側に装着することも考えられる。銀イオン系抗菌剤を含有させたパイル地からなるシートを外側（マスク側）と竹繊維によってシート状に織られたシートを内側（口側）の順番で装着することによって、二段階で空気中の埃、粉塵、花粉、ウィルス、細菌、有害ガスを効果的に除去することが可能であるため、超微粒子にも対応できる。
【００２１】
図２に示す本実施例は、マスク本体の内側に装着する態様を示すものである。さらに、家庭用のエアコン等の空気中の粉塵、花粉、ウィルス、細菌等を除去する目的で自由に採用することが可能である。本発明にかかる多層繊維フィルターシートは、パイル地を利用しているので、呼気吸気に不自由がなく息苦しさを感じさせることがない点で、従来のこの種製品とは格段の差があり、使用に不快感が伴わない点で画期的と評価される。また、花粉症が即座に改称する点でも今までの製品とは比較にならない効果が認められる。
また、多層繊維フィルターシートの形状は、実施例に示す態様またはサイズに限定されるものではなく、あらゆる産業分野において適宜の形状を定めて応用利用することが可能である。【００２２】
図３に示す実施例は、折り畳んで使用する際に２枚の細長フィルターシートが接合された態様に形成されている。正方形に形成することにより、折り畳んで多層にした形状で使用することができ、ハンカチやタオル等として雑菌の繁殖を防ぐことができる。また、竹繊維によってシート状に織られた細長シートは抗菌性または吸水性にも優れており、銀の特有の特性を持つ銀イオン系抗菌剤にも抗菌性・殺菌性の特徴があるため、１日に何回も使用し湿った状態で放置される事の多いキッチンで使用するタオル等にも最適であり、特にニオイや雑菌の繁殖を抑える天然の抗菌力を有するので、寝具類への応用もできる。銀イオン系抗菌剤を含有させたパルプ地で形成されているため、総表面積が非常に広く、接触面積が大きいので吸水性も高く、積層されていることにより細菌・ウィルス等は除去も効果的に達成できる。一般的な素材から構成されているため製造コストの低減を図ることができ、洗濯して繰り返し使用できるため、非常に経済的である。実施例に示す態様またはサイズに限定されるものではない。
【図面の簡単な説明】
【００２３】
【図１】本発明の多層繊維フィルターシートの斜視図
【図２】多層繊維フィルターシートをマスクに装着する際の斜視図
【図３】折り畳んでフィルターとして使用する際の多層繊維シートの斜視図
【符号の説明】
【００２４】
１０  多層繊維フィルターシート
２０  銀イオン系抗菌剤を含有させたパイル地からなるフィルターシート
２２  銀イオン系抗菌剤
２４  ループ
３０  竹繊維によってシート状に織られたフィルターシート
４０  マスク
【要約】
【課題】
フィルターシートに関し、銀イオン（Ag＋）等の銀抗菌素材を含有させたパイル地からなるシートと、竹繊維によってシート状に織られたシートを用いて積層形成した多層繊維フィルターシートを提供する。
【解決手段】
マスク本体やエアコン等の内側に、銀抗菌素材を含有させたパイル地からなるシートを外側、竹繊維によってシート状に織られたシート内側に装着し積層形成することによって、空気中の埃、粉塵、花粉、ウィルス等を除去し呼気吸気とともに体内に侵入するのを防ぐための多層繊維フィルターシートである。
【選択図】  図２【図１】
0005642886.tif 000002
【図２】
0005642886.tif 000003
【図３】
0005642886.tif 000004